【手続補正書】
【提出日】平成23年4月14日(2011.4.14)
【手続補正１】
【補正対象書類名】特許請求の範囲
【補正対象項目名】全文
【補正方法】変更
【補正の内容】
【特許請求の範囲】
【請求項１】
シロアリにアクセス可能な領域において前記シロアリの集団を監視する方法であって、
約150℃(302°F)を超える温度まで熱処理された木材を前記領域内に設置する工程と、
シロアリの存在について前記熱処理された熱処理済み木材を監視する工程と、を含む、方法。
【請求項２】
前記領域内に設置する工程は、約150℃(302°F)を超える温度まで熱処理され、(i)同じ種の未処理木材、及び(ii)約150℃(302°F)未満まで熱処理された同じ種の木材、の少なくともいずれか一方よりも低い含水率を有する木材を前記領域内に設置する工程である、請求項1に記載の方法。
【請求項３】
前記領域内に設置する工程は、約150℃(302°F)を超える温度まで熱処理され、約10%未満の含水率を有する木材を前記領域内に設置する工程である、請求項1に記載の方法。
【請求項４】
前記領域内に設置する工程は、約150℃(302°F)を超える温度まで熱処理された、粒子形態の木材を前記領域内に設置する工程である、請求項1に記載の方法。
【請求項５】
前記領域内に設置する工程は、少なくとも約185℃(365°F)の温度まで熱処理された木材を前記領域内に設置する工程である、請求項1に記載の方法。
【請求項６】
シロアリにアクセス可能な領域において前記シロアリの集団を監視及び制御する方法であって、
少なくとも約150℃(302°F)の温度まで熱処理された熱処理済み木材を前記領域内に設置する工程と、
有毒餌を前記領域内に設置する工程と、を含む、方法。
【請求項７】
前記熱処理済み木材を前記領域から取り外す工程と、
前記熱処理済み木材を前記有毒餌と交換する工程と、を、前記有毒餌を前記領域内に設置する工程が含む、請求項6に記載の方法。
【請求項８】
前記領域内の前記熱処理済み木材に隣接して前記有毒餌を設置する工程を、前記有毒餌を前記領域内に設置する工程が含む、請求項6に記載の方法。
【請求項９】
内部空間を有するハウジングを地中のキャビティ内に設置する工程を更に含み、
前記熱処理済み木材を前記ハウジングの前記内部空間内に位置付ける工程を、前記熱処理された木材を前記領域内に設置する工程が含み、
前記熱処理済み木材に隣接して前記有毒餌を前記ハウジングの前記内部空間内に配置する工程を、前記有毒餌を前記領域内に設置する工程が含む、請求項6に記載の方法。
【請求項１０】
少なくとも約185℃(365°F)の温度まで熱処理された木材を前記領域内に設置する工程を、前記熱処理された木材を前記領域内に設置する工程が含む、請求項6に記載の方法。
【請求項１１】
前記熱処理された木材を前記領域内に設置する工程は、約150℃(302°F)を超える温度まで熱処理され、約10%未満の含水率を有する木材を前記領域内に設置する工程である、請求項6に記載の方法。
【請求項１２】
シロアリにアクセス可能な領域内において前記シロアリの集団を制御する方法であって、
少なくとも約150℃(302°F)の温度まで熱処理された木材と有毒物とを含む有毒餌を前記領域内に設置する工程を含む、方法。
【請求項１３】
少なくとも約185℃(365°F)の温度まで熱処理された木材と有毒物とを含む餌を前記領域内に設置する工程を、前記有毒餌を前記領域内に設置する工程が含む、請求項12に記載の方法。
【請求項１４】
約150℃(302°F)を超える温度まで熱処理され、約10%未満の含水率を有する木材と有毒物とを含む餌を前記領域内に設置する工程を、前記有毒餌を前記領域内に設置する工程が含む、請求項12に記載の方法。
【請求項１５】
シロアリにアクセス可能な領域内において前記シロアリの集団を少なくとも監視又は制御する方法であって、
少なくとも約150℃の温度まで熱処理された熱処理済み木材から抽出された熱処理済み木材抽出物を前記領域内に設置する工程を含む、方法。
【請求項１６】
前記熱処理済み木材抽出物が液体の熱処理済み木材抽出物である、請求項15に記載の方法。
【請求項１７】
地下キャビティを形成する工程を前記方法が更に含み、
前記液体の熱処理済み木材抽出物を前記地下キャビティ内に堆積させる工程を、前記領域内に設置する工程が含む、請求項16に記載の方法。
【請求項１８】
監視デバイスを前記地下キャビティ内に配置する工程を更に含み、
前記デバイスの内部と前記監視デバイスの外部を取り囲む環境とを連通させるため、前記監視デバイスが少なくとも一つの開口部を有し、
前記ステーションの外部を取り囲む前記環境に分散させるため、前記液体の熱処理済み木材抽出物が前記ハウジングからその前記開口部を介して流出するようにして、前記液体の熱処理済み木材抽出物を前記監視デバイスの前記内部に堆積させる工程を、前記領域内に設置する工程が含む、請求項17に記載の方法。
【請求項１９】
前記熱処理済み木材抽出物が粒子形態である、請求項15に記載の方法。
【請求項２０】
熱処理済み木材抽出物を前記抽出物の担体の上及び中の少なくとも一方に堆積させる工程を更に含み、
前記領域内に設置する工程は、約150℃を超える温度まで熱処理された木材から前記抽出物が抽出され、前記担体を前記熱処理済み木材抽出物と共に前記領域内に設置する工程である、請求項15に記載の方法。
【請求項２１】
シロアリにアクセス可能な領域において前記シロアリの集団を少なくとも監視又は制御する方法であって、
シロアリステーションハウジングの内部と外部との間を連通させる少なくとも一つの開口部を有するシロアリステーションハウジングを、シロアリにアクセス可能な領域に設置する工程と、
凝集ベースを前記ハウジングの前記内部内に位置付ける工程と、
約150℃を超える温度まで熱処理された木材から抽出された熱処理済み木材抽出物を、前記ハウジングの前記内部内及び前記ハウジング外部の環境内の少なくとも一方に堆積させる工程と、を含む、方法。
【請求項２２】
前記熱処理済み木材抽出物が液体の熱処理済み木材抽出物である、請求項21に記載の方法。
【請求項２３】
前記領域が地下キャビティを含み、
前記ステーションハウジングを少なくとも部分的に前記キャビティ内に設置する工程を、前記シロアリにアクセス可能な領域に設置する工程が含み、
前記液体の熱処理済み木材抽出物が前記ハウジングからその前記少なくとも一つの開口部を介して流出し、前記ステーションを取り囲む前記外部環境に分散して、誘引剤の区域を形成するようにして、前記液体の熱処理済み木材抽出物を前記シロアリステーションハウジングの前記内部に流入させる工程を、前記堆積させる工程が含む、請求項22に記載の方法。
【請求項２４】
前記熱処理済み木材抽出物が粒子形態である、請求項21に記載の方法。
【請求項２５】
約150℃を超える温度まで熱処理された木材から抽出された熱処理済み木材抽出物を含む、シロアリの集団を監視及び制御するのに使用される誘引剤。
【請求項２６】
前記抽出物が生じる前記熱処理済み木材が少なくとも185℃の温度まで熱処理されている、請求項25に記載の誘引剤。
【請求項２７】
前記熱処理済み木材抽出物が液体の熱処理済み木材抽出物である、請求項25に記載の誘引剤。
【請求項２８】
前記熱処理済み木材抽出物が粒子状の熱処理済み木材抽出物である、請求項25に記載の誘引剤。
【請求項２９】
シロアリの集団を監視及び制御する方法であって、
シロアリステーションハウジングの内部と外部との間を連通させる少なくとも一つの開口部を有するシロアリステーションハウジングを、シロアリにアクセス可能な領域に設置する工程と、
約150℃を超える温度まで熱処理された粒子状の熱処理済み木材を前記ステーションハウジング内に位置付ける工程と、を含む、方法。
【請求項３０】
前記熱処理済み木材が少なくとも185℃の温度で熱処理されている、請求項29に記載の方法。